(57)【要約】【課題】  一方向クラッチ構成部品の摩耗等の破損状況を組込み状態で判断することができ、一方向クラッチ外輪と一体に相対回転可能とする部品と、一方向クラッチとの組込み及び分解を容易にすることができる一方向クラッチおよびそのリユース方法を提供する。【解決手段】  この一方向クラッチは、内周面の円周方向複数箇所にカム面７を有し軸の外周に配置される外輪３と、この外輪３の前記各カム面７と前記軸との間に介在する複数の係合子４と、これら複数の係合子４を保持する保持器６とを備える。各カム面７が、前記軸に対する外輪３の一方向の相対回転では係合子４が係合して外輪３の相対回転を阻止し、他方向の相対回転では係合子４が非係合状態になって回転を許容する楔面を構成する。外輪３及び係合子４の硬度を前記軸の硬度よりも高くし、外輪３と一体に相対回転可能とするトルク伝達輪を嵌め合い状態に連結する連結部ＲＫを、外輪３の側面に設けた。【選択図】      図３
2011085192.tif 000002
【特許請求の範囲】
【請求項１】
内周面の円周方向複数箇所にカム面を有し軸の外周に配置される外輪と、この外輪の前記各カム面と前記軸との間に介在する複数の係合子と、これら複数の係合子を保持する保持器と、この保持器に支持されて前記各係合子に前記カム面に向かって前記円周方向へ弾性による力を付与するばね部材とを備え、前記各カム面が、前記軸に対する外輪の一方向の相対回転では前記係合子が係合して外輪の相対回転を阻止し、他方向の相対回転では前記係合子が非係合状態になって回転を許容する楔面を構成する一方向クラッチにおいて、
前記外輪及び係合子の硬度を前記軸の硬度よりも高くし、前記外輪と一体に相対回転可能とするトルク伝達輪を嵌め合い状態に連結する連結部を、前記外輪の側面に設けたことを特徴とする一方向クラッチ。
【請求項２】
請求項１において、前記外輪を、油が含浸された多孔質の焼結材から成る含油焼結体とした一方向クラッチ。
【請求項３】
請求項１または請求項２において、前記外輪の内周面に、複数の係合子の軸方向移動を規制する径方向内向きの閉塞つばを設けると共に、前記外輪の開放端面を閉塞する蓋を設け、これら蓋と閉塞つばとトルク伝達輪とを、前記連結部を介して一体回転するように連結した一方向クラッチ。
【請求項４】
請求項１ないし請求項３のいずれか１項において、前記トルク伝達輪が樹脂から成る一方向クラッチ。
【請求項５】
内周面の円周方向複数箇所にカム面を有し軸の外周に配置される外輪と、この外輪の前記各カム面と前記軸との間に介在する複数の係合子と、これら複数の係合子を保持する保持器とを備え、前記各カム面が、前記軸に対する外輪の一方向の相対回転では前記係合子が係合して外輪の相対回転を阻止し、他方向の相対回転では前記係合子が非係合状態になって回転を許容する楔面を構成する一方向クラッチを再利用するリユース方法において、
前記外輪及び係合子の硬度を前記軸の硬度よりも高くし、前記外輪と一体に相対回転可能とするトルク伝達輪を嵌め合い状態に連結する連結部を、前記外輪の側面に設け、
前記一方向クラッチのうち、前記軸およびトルク伝達輪から離脱した一方向クラッチの使用後品を回収し、この回収した一方向クラッチを分解することなく洗浄を行う洗浄過程と、
この洗浄過程の後、一方向クラッチに潤滑剤の再供給を行う潤滑剤供給過程と、
を有する一方向クラッチのリユース方法。
【請求項６】
請求項５において、前記外輪を、油が含浸された多孔質の焼結材から成る含油焼結体とし、前記洗浄過程において、前記外輪を含む一方向クラッチを洗浄・脱脂した後、潤滑剤供給過程において、前記外輪に再含油を行う一方向クラッチのリユース方法。
【請求項７】
請求項５または請求項６において、前記外輪に、再生回数がわかる印を付加した一方向クラッチのリユース方法。
【請求項８】
請求項５ないし請求項７のいずれか１項において、再生した一方向クラッチの出荷検査として、軸に前記一方向クラッチを組込み、前記軸に対する外輪の一方向の相対回転で外輪の相対回転を阻止するか否かを確認し、前記軸に対する外輪の他方向の相対回転で回転を許容するか否か及び空転トルクのレベルを確認する一方向クラッチのリユース方法。
【発明の詳細な説明】
【技術分野】
【０００１】
この発明は、例えば、事務機器の駆動部等に使用される一方向クラッチおよびそのリユース方法に関し、この一方向クラッチの再利用を行うための技術に関する。
【背景技術】
【０００２】
従来の一方向クラッチとして、外装部材の筒部を外輪外周面に被せ、外装部材の閉塞端面で外輪の一方の端面を閉塞している。さらに、筒部の端部内周面に形成した嵌合溝に蓋の外周面のリブを嵌合したものが開示されている（特許文献１，２）。
【先行技術文献】
【特許文献】
【０００３】
【特許文献１】特開平９−８９０１１号公報、図１，図２
【特許文献２】特開平１０−２３８５６０号公報
【特許文献３】特願２００９−０９３２２３
【発明の概要】
【発明が解決しようとする課題】
【０００４】
従来の樹脂部品等に組込む一方向クラッチは、この一方向クラッチを様々な樹脂部品の中へ組込む。このため、一方向クラッチに問題が無くても、樹脂部品の寿命により一方向クラッチも同時に廃却されている。
また、現行の一方向クラッチを再利用するとしても、一方向クラッチが樹脂部品の内部に組込まれた構造のため、潤滑剤の再封入に手間が掛かる。つまり、内部封入の潤滑剤や一方向クラッチ外輪への含油の再封入を行う場合、一方向クラッチを樹脂部品から一旦取り出す必要がありこの作業に非常に手間が掛かる。
【０００５】
この対策として、本件出願人は、樹脂部品を一方向クラッチの側面に取付ける技術を提案している（特許文献３）。この技術によれば、一方向クラッチを再利用するにあたり、一方向クラッチに破損が発生しているか否かの確認として、空転トルクによりばねの破損の有無を確認し得る。つまり再利用しようとする一方向クラッチを一定軸に挿入して、この一方向クラッチの空転トルクが、新品時の空転トルクのレベルと差が小さければ、ばねの破損は無いと判断できる。
しかし、一方向クラッチの「ころ」や、外輪内径の「カム面」の摩耗等の破損状況を組込み状態で判断することができない。
【０００６】
この発明の目的は、一方向クラッチ構成部品の摩耗等の破損状況を組込み状態で判断することができ、一方向クラッチ外輪と一体に相対回転可能とする部品と、一方向クラッチとの組込み及び分解を容易にすることができる一方向クラッチおよびそのリユース方法を提供することである。
【課題を解決するための手段】
【０００７】
この発明の一方向クラッチは、内周面の円周方向複数箇所にカム面を有し軸の外周に配置される外輪と、この外輪の前記各カム面と前記軸との間に介在する複数の係合子と、これら複数の係合子を保持する保持器と、この保持器に支持されて前記各係合子に前記カム面に向かって前記円周方向へ弾性による力を付与するばね部材とを備え、前記各カム面が、前記軸に対する外輪の一方向の相対回転では前記係合子が係合して外輪の相対回転を阻止し、他方向の相対回転では前記係合子が非係合状態になって回転を許容する楔面を構成する一方向クラッチにおいて、前記外輪及び係合子の硬度を前記軸の硬度よりも高くし、前記外輪と一体に相対回転可能とするトルク伝達輪を嵌め合い状態に連結する連結部を、前記外輪の側面に設けたことを特徴とする。
【０００８】
この構成によると、外輪及び係合子の硬度を軸の硬度よりも高くしたため、外輪の摩耗よりの軸の摩耗が先に生じる。一方向クラッチの使用後品を回収し、軸に摩耗が生じていなければ、前記一方向クラッチの使用後品も摩耗が生じていないと判断できる。よって、一方向クラッチ構成部品の摩耗等を確認することなく、一方向クラッチをリユース可能と判断できる。また、トルク伝達輪を嵌め合い状態に連結する連結部を、外輪の側面に設けたため、一方向クラッチとトルク伝達輪との組込み及び分解がし易くなる。したがって、一方向クラッチを装置から容易に回収することができる。
【０００９】
前記外輪を、油が含浸された多孔質の焼結材から成る含油焼結体としてもよい。この場合、潤滑は、外輪に含浸された油で行うため、グリース潤滑に比べて使用後に一方向クラッチに増ちょう剤等の付着がない。このため、グリース潤滑させた一方向クラッチを洗浄する場合に比べて、再利用する際の一方向クラッチの洗浄が容易になり、工数低減を図ることができる。
前記外輪の内周面に、複数の係合子の軸方向移動を規制する径方向内向きの閉塞つばを設けると共に、前記外輪の開放端面を閉塞する蓋を設け、これら蓋と閉塞つばとトルク伝達輪とを、前記連結部を介して一体回転するように連結しても良い。このように蓋と閉塞つばとを利用することで、一方向クラッチとトルク伝達輪との組込み及び分解がし易くなる。
【００１０】
前記トルク伝達輪が樹脂から成るものであっても良い。この場合、トルク伝達輪の形状について設計の自由度を高め、これにより前記連結部の形状、寸法等に応じたトルク伝達輪を得ることができる。
【００１１】
この発明の一方向クラッチのリユース方法は、内周面の円周方向複数箇所にカム面を有し軸の外周に配置される外輪と、この外輪の前記各カム面と前記軸との間に介在する複数の係合子と、これら複数の係合子を保持する保持器とを備え、前記各カム面が、前記軸に対する外輪の一方向の相対回転では前記係合子が係合して外輪の相対回転を阻止し、他方向の相対回転では前記係合子が非係合状態になって回転を許容する楔面を構成する一方向クラッチを再利用するリユース方法において、前記外輪及び係合子の硬度を前記軸の硬度よりも高くし、前記外輪と一体に相対回転可能とするトルク伝達輪を嵌め合い状態に連結する連結部を、前記外輪の側面に設け、前記一方向クラッチのうち、前記軸およびトルク伝達輪から離脱した一方向クラッチの使用後品を回収し、この回収した一方向クラッチを分解することなく洗浄を行う洗浄過程と、この洗浄過程の後、一方向クラッチに潤滑剤の再供給を行う潤滑剤供給過程とを有するものである。
【００１２】
この構成によると、軸およびトルク伝達輪から離脱した一方向クラッチの使用後品を回収する。この回収した一方向クラッチを分解することなく洗浄する。その後、一方向クラッチに潤滑剤の再供給を行った後、例えば空転トルク等の検査を行う。
この場合にも、外輪及び係合子の硬度を軸の硬度よりも高くしたため、使用していた軸の摩耗の有無を確認し、軸に摩耗が生じていなければ、一方向クラッチの使用後品も摩耗が生じていないと判断できる。よって、一方向クラッチ構成部品の摩耗等を確認することなく、一方向クラッチをリユース可能と判断できる。
【００１３】
前記外輪を、油が含浸された多孔質の焼結材から成る含油焼結体とし、前記洗浄過程において、前記外輪を含む一方向クラッチを洗浄・脱脂した後、潤滑剤供給過程において、前記外輪に再含油を行うものであっても良い。この場合、潤滑は、外輪に含浸された油で行うため、グリース潤滑に比べて使用後に一方向クラッチに増ちょう剤等の付着がない。このため、グリース潤滑させた一方向クラッチを洗浄する場合に比べて、再利用する際の一方向クラッチの洗浄が容易になり、工数低減を図ることができる。
【００１４】
前記外輪に、再生回数がわかる印を付加しても良い。この場合、一方向クラッチが新品か再生品かの区別ができるうえ、一方向クラッチ生産側およびユーザ側での管理が可能となる。
再生した一方向クラッチの出荷検査として、軸に前記一方向クラッチを組込み、前記軸に対する外輪の一方向の相対回転で外輪の相対回転を阻止（ロック）するか否かを確認し、前記軸に対する外輪の他方向の相対回転で回転を許容（空転）するか否かを確認しても良い。このようにロック及び空転確認を行った後、一方向クラッチをユーザ等に出荷し得る。
【発明の効果】
【００１５】
この発明の一方向クラッチは、前記外輪及び係合子の硬度を前記軸の硬度よりも高くしたため、軸に摩耗が生じていなければ、前記一方向クラッチの使用後品も摩耗が生じていないと判断できて、摩耗等の破損状況を組込み状態で判断することができる。また、トルク伝達輪を嵌め合い状態に連結する連結部を、外輪の側面に設けたため、一方向クラッチ外輪と一体に相対回転可能とする部品と、一方向クラッチとの組込み及び分解を、一方向クラッチの側面から行えて容易化することができる。
【００１６】
この発明の一方向クラッチのリユース方法は、前記外輪及び係合子の硬度を前記軸の硬度よりも高くし、前記外輪と一体に相対回転可能とするトルク伝達輪を嵌め合い状態に連結する連結部を、前記外輪の側面に設け、前記一方向クラッチのうち、前記軸およびトルク伝達輪から離脱した一方向クラッチの使用後品を回収し、この回収した一方向クラッチを分解することなく洗浄を行う洗浄過程と、この洗浄過程の後、一方向クラッチに潤滑剤の再供給を行う潤滑剤供給過程とを有する。外輪及び係合子の硬度を前記軸の硬度よりも高くしたため、摩耗等の破損状況を組込み状態で判断することができる。外輪と一体に相対回転可能とするトルク伝達輪を嵌め合い状態に連結する連結部を、前記外輪の側面に設けたため、一方向クラッチ外輪と一体に相対回転可能とする部品と、一方向クラッチとの組込み及び分解を容易にすることができる。
【図面の簡単な説明】
【００１７】
【図１】（Ａ）は、この発明の一実施形態に係る一方向クラッチの断面図、（Ｂ）は同一方向クラッチの図１（Ａ）の右側面図である。
【図２】同一方向クラッチのロック状態及び空転状態を説明する要部断面図である。
【図３】同一方向クラッチと樹脂部品とを組み込んだ構造を示す断面図である。
【図４】同一方向クラッチのリユース工程を段階的に示す図である。
【図５】（Ａ）は、この発明の他の実施形態に係る一方向クラッチの断面図、（Ｂ）は同一方向クラッチの左側面図である。
【発明を実施するための形態】
【００１８】
この発明の一実施形態を図１ないし図４と共に説明する。この発明の実施形態に係る一方向クラッチは、例えば、複写機・プリンタ、ファクシミリ等の事務機器の駆動部に使用される。但し、事務機器用に必ずしも限定されるものではない。以下の説明は、一方向クラッチのリユース方法の説明をも含む。この一方向クラッチの使用時には、図３に示すように、一方向クラッチ構成部品と後述するトルク伝達輪１とが連結され、一方向クラッチおよびトルク伝達輪１の嵌合孔に軸２が挿通され、この軸２の外周に設けられた環状の止め輪溝に、一方向クラッチを抜け止めする止め輪Ｅ１，Ｅ１が着脱自在に嵌め込まれる。
【００１９】
図１に示すように、一方向クラッチは、外輪３と、複数の係合子４と、ばね部材５と、保持器６とを備える。図２に示すように、外輪３は、内周面の円周方向複数箇所にカム面７を有し、図２、図３に示すように軸２の外周に配置される。前記係合子４としてころが適用される。一つのころはばね部材５の一つのばね片５ａと共に外輪３の各カム面７と軸２との間のポケットＰｔに介在する。前記各カム面７は軸２との間で所定の楔角δを成す楔面を構成する。各ころはばね片５ａのばね力により楔角δの幅狭方向に付勢されている。前記保持器６は、複数のころを保持する。
【００２０】
この一方向クラッチは、図２に示すように、各カム面７が、軸２に対する外輪３の一方向（図２矢印Ａ１方向）の相対回転では前記ころが係合して外輪３の相対回転を阻止する。つまり、ころが楔角δの幅狭方向に移動して係合状態となり、軸２に対する外輪３の相対回転を阻止し、これにより外輪３にトルク伝達を行う。他方向（図２矢印Ａ２方向）の相対回転では前記ころが非係合状態になって外輪３の相対回転を許容する。つまり、ころがばね片５ａのばね力に抗して楔角δの幅拡方向に移動して非係合状態となり、軸２に対する外輪３の相対回転を許容する。これにより、外輪３へのトルク伝達を遮断する。
【００２１】
外輪３は、油が含浸された多孔質の焼結材から成る含油焼結合金等の含油焼結体であり、略円筒形状に形成される。この外輪３及び係合子４の硬度は、嵌合しようとする軸２の硬度よりも高く設定されている。具体的には、外輪３及び係合子４の材質として、外輪３では、ＳＵＪ２焼入れ及び浸炭焼入れ、鉄系焼結の焼入れ及び浸炭焼入れ、ＳＵＳ４４０Ｃ・ＳＵＳ４１６焼入れ及び浸炭焼入れ等のマルテンサイト系ＳＵＳステンレス材等を適用することができ、係合子４では、ＳＵＪ２焼入れ及び浸炭焼入れ、ＳＵＳ４４０Ｃ・ＳＵＳ４１６焼入れ及び浸炭焼入れ等のマルテンサイト系ＳＵＳステンレス材等を適用することができ、これらの材質を適用する場合、軸２の材質として熱処理を施していないいわゆる生材のＳＵＭ材、ＳＵＳ３０３、ＳＵＳ３０４、ＳＵＳ４１６を適用することができる。この外輪３の開放端面（図１（Ａ）左端面）は蓋８により閉塞される。外輪３の内周面には、複数のころおよび複数のばね片５ａの軸方向移動を規制する径方向内向きの閉塞つば９が設けられている。この閉塞つば９に周方向一定間隔おきに複数（この例では５つ）の貫通孔９ａが形成されている。外輪３の内周面は、周方向に隣接する二つのカム面７，７の間に、径方向に所定角度傾斜した段差部分が設けられ、この段差部分が前記ばね部材５及び保持器６を組込む際の位置決め部１０となる。
【００２２】
保持器６は、前記蓋８と、複数の柱部１１とを有する。複数の柱部１１は、蓋８の内面に一体に固着され、各柱部１１は蓋８の内面から軸方向ポケット内に突出するように設けられる。これら複数の柱部１１は、周方向に所定の間隔を空けて配置される。柱部１１は、蓋８の内径面８ａに沿った内側面１１ａと、外輪３のカム面７の拡大側端部から前記位置決め部１０に合致する外側面１１ｂとを有する。また、外輪３の一つのカム面７と、同カム面７の両側の柱部１１，１１とによって一つのポケットＰｔが区画され、各ポケットＰｔにころが収納される。
【００２３】
前記ばね部材５は、一枚の金属板によって形成された環状部５ｂと、複数のばね片５ａとを有する板ばねである。環状部５ｂは、軸２の外周に径方向隙間を介して装着される内径孔を有する。この環状部５ｂの外周縁部を周方向一定間隔おきに切り起こすこと等により、複数のばね片５ａが形成される。
各ばね片５ａの基端部は、環状部５ｂを成す面から略直角に屈曲して立ち上がり、各ばね片５ａの先端部が自由端部となる。これら基端部と先端部との中間部を「く」の字形状に曲げ形成している。環状部５ｂのうち各基端部付近に、外輪３のカム面７に接する位置決め用の突起等が設けられている。また環状部５ｂの各基端部付近に、位置決め用の貫通孔５ｂａが形成されている。
【００２４】
連結部ＲＫについて説明する。
連結部ＲＫは、外輪３と一体に相対回転するトルク伝達輪１を嵌め合い状態に連結するものであり、外輪３の側面に設けられている。連結部ＲＫは、外輪３の一側面（図１（Ａ）右側面）における嵌合孔形成部１２と、この嵌合孔形成部１２の嵌合孔１４に嵌り込む嵌合部１５とを有する。嵌合孔形成部１２は、図１（Ｂ）に示すように、五角孔状の嵌合孔１４が外輪３の一端から閉塞つば９にわたって形成されている。嵌合孔形成部１２は、嵌合孔１４の各角部を形成する部分が他の部分よりも薄肉に形成されている。
【００２５】
前記嵌合孔形成部１２の嵌合孔１４に、トルク伝達輪１の嵌合部１５が嵌り込むように形成されている。トルク伝達輪１は、ギヤ部１６と前記嵌合部１５とを有し、合成樹脂により一体成形されている。嵌合部１５は、五角孔状の嵌合孔１４に対応するように五角柱状に形成され、この嵌合部１５の先端面が閉塞つば９に当接するように軸方向に所定距離延びている。
【００２６】
前記保持器６の各柱部１１の先端部分に突起１３が設けられる。この突起１３は、ばね部材５の貫通孔５ｂａ及び閉塞つば９の貫通孔９ａを貫通する。閉塞つば９の５つの貫通孔９ａは、五角孔状の嵌合孔１４の各角部付近に配置される。保持器６の各柱部１１の突起１３は、対応するばね部材５の貫通孔５ｂａおよび閉塞つば９の貫通孔９ａにそれぞれ挿入される。外輪３の嵌合孔１４に、トルク伝達輪１の嵌合部１５が嵌り込むことにより、外輪３とトルク伝達輪１とが一体に連結される。
【００２７】
一方向クラッチのリユース方法について説明する。
図４（ａ），（ｂ）に示すように、新品の一方向クラッチを装置に組み込み稼動する。この装置を例えば所定期間稼動させた後、図４（ｃ）に示すように、軸２およびトルク伝達輪１から離脱した一方向クラッチの使用後品を回収する。この回収した一方向クラッチを、図４（ｄ）に示すように、構成部品毎に分解することなく洗浄、脱脂、乾燥を行う。次に、図４（ｅ）に示すように、外輪外径面に、この一方向クラッチの再生回数等がわかる「印」を付加する。「印」として、例えば、再生品、再生回数等がわかる識別マークを、刻印、ペンシルグラインダー等を用いて外輪外径面の目視可能な表面に施す。図４（ｅ）の例では再生回数が「１」の外輪外径面に、「・」の識別マークを施している。
【００２８】
次に、この一方向クラッチに、図４（ｆ）に示すように、含油、遠心分離、防錆を施す。含有過程では、多孔質の焼結材から成る外輪３に再含油が行われる。この後、遠心分離過程において、外輪３の表面の油分を飛散させる。その後この一方向クラッチに防錆処理を施す。含油焼結体でない外輪の場合には、「含油」に代えて、一方向クラッチにグリース再封入を行う。
再生した一方向クラッチの出荷検査として、図４（ｇ）に示すように、軸２に前記一方向クラッチを組込み、軸２に対する外輪３の一方向の相対回転で外輪３の相対回転を阻止（ロック）するか否かを確認する。また、軸２に対する外輪３の他方向の相対回転で回転を許容（空転）するか否か及び空転トルクのレベルを確認する。このようにロック及び空転確認を行った後、一方向クラッチをユーザ等に出荷し得る。
【００２９】
以上説明した一方向クラッチによると、外輪３及び係合子４の硬度を軸２の硬度よりも高くしたため、外輪３及び係合子４の摩耗よりも軸２の摩耗が先に生じる。一方向クラッチの使用後品を回収し、軸２に摩耗が生じていなければ、一方向クラッチの使用後品も摩耗が生じていないと判断できる。よって、外輪３のカム面７の摩耗状態や、ころの摩耗状態等を確認することなく、換言すれば、一方向クラッチ構成部品毎に分解してこれら構成部品の摩耗状態を確認することなく摩耗等の破損状況を組込み状態で、一方向クラッチをリユース可能と判断できる。また、トルク伝達輪１を嵌め合い状態に連結する連結部を、外輪３の側面に設けたため、一方向クラッチとトルク伝達輪１との組み込み及び分解が、一方向クラッチの側面から行えて容易化できる。したがって、一方向クラッチを装置から容易に回収することができる。
【００３０】
前記トルク伝達輪１が合成樹脂から成るものであるため、トルク伝達輪１の形状について設計の自由度を高めることができる。トルク伝達輪１の嵌合部１５を、外輪３の五角孔状の嵌合孔１４に対応するように五角柱状に容易に形成し得る。このように連結部の形状、寸法等に応じたトルク伝達輪１を得ることができる。
【００３１】
外輪３を、油が含浸された多孔質の焼結材から成る含油焼結体とし、この外輪３を含む一方向クラッチを洗浄・脱脂した後、外輪３に再含油を行う。この場合、潤滑は、外輪３に含浸された油で行うため、グリース潤滑に比べて使用後に一方向クラッチに増ちょう剤等の付着がない。このため、グリース潤滑させた一方向クラッチを洗浄する場合に比べて、再利用する際の一方向クラッチの洗浄が容易になり、工数低減を図ることができる。
また、外輪３に、再生回数がわかる印を付加したため、一方向クラッチが新品か再生品かの区別ができるうえ、一方向クラッチ生産側およびユーザ側での管理が可能となる。
【００３２】
次に、この発明の他の実施形態について説明する。
以下の説明においては、各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００３３】
図５の一方向クラッチは、図１の連結部に代えて、保持器６の蓋８Ａ等に、トルク伝達輪１を嵌め合い状態に連結する連結部を設けたものである。この蓋８Ａは、図１の蓋８よりも軸方向寸法が長く形成される。蓋８Ａの表面には、径方向に延びる突起８Ａａ，８Ａａが１８０度対称位置に設けられる。トルク伝達輪１のギヤ部の一端部には、突起８Ａａ，８Ａａに嵌め込まれる図示外の凹部が径方向に延びるように形成されている。これら突起８Ａａ，８Ａａと、前記貫通孔５ｂａ，９ａに挿入される柱部１１の突起１３とにより連結部が構成される。その他の構成は、図１のものと同様である。この図５の一方向クラッチにおいても、外輪３及び係合子４の硬度を軸２（図２）の硬度よりも高くしたため、外輪３のカム面７の摩耗状態や、ころの摩耗状態等を確認することなく、一方向クラッチをリユース可能と判断できる。トルク伝達輪を嵌め合い状態に連結する連結部を、外輪３の側面に設けたため、一方向クラッチとトルク伝達輪１との組み込み及び分解がし易くなる。したがって、一方向クラッチを装置から容易に回収することができる。
【００３４】
他の形態として、油が含浸された多孔質の焼結材から成る外輪に代えて、グリース潤滑を行う外輪を適用することも可能である。外輪の端面に、再生回数がわかる印を付加しても良い。ばね部材は種々の形態のものを代替可能である。金属板から成るばね部材に代えてコイルばねから成るばね部材を適用することも可能である。係合子として、ボール等を適用しても良い。トルク伝達輪として、プーリを適用しても良い。
【符号の説明】
【００３５】
１…トルク伝達輪
２…軸
３…外輪
４…係合子
５…ばね部材
６…保持器
７…カム面
８…蓋
９…閉塞つば
ＲＫ…連結部
【図１】
2011085192.tif 000003
【図２】
2011085192.tif 000004
【図３】
2011085192.tif 000005
【図４】
2011085192.tif 000006
【図５】
2011085192.tif 000007